(57)【要約】【課題】本発明は、レンズユニットの第１レンズへの入射光線の最大の画角２θが１７０度以上を確保できる広角レンズを提供することを目的とする。【解決手段】物体側から像側へ向かって順に、負の屈折力を持つ第１レンズ１と、負の屈折力を持ち、かつ、｜ｆ2｜／ｆがほぼ１．８以下を満足し、両面が凹面から形成された第２レンズ２と、正の屈折力を持ち、両面が凸面で形成された第３レンズ３と、接合された第４、第５レンズ５、６と、正の屈折力を持ち、かつ、両面が凸面から形成された第６レンズ７とを備え、第４レンズ５は正の屈折力を持ち、かつ、両面が凸面から形成され、第５レンズ６は負の屈折力を持ち、かつ、両面が凹面で形成されている。【選択図】図１
2006171597.tif 000002
【特許請求の範囲】
【請求項１】
物体側から像側へ向かって順に、負の屈折力を持つ第１レンズと、負の屈折力を持ち、かつ、｜ｆ2｜／ｆがほぼ１．８以下を満足し、両面が凹面から形成された第２レンズと、正の屈折力を持ち、両面が凸面で形成された第３レンズと、互いに離間するか、または接合された第４、第５レンズと、正の屈折力を持ち、かつ、両面が凸面から形成された第６レンズとを備え、前記第４レンズが正の屈折力を持ち、かつ、両面が凸面から形成されている場合は、前記第５レンズが負の屈折力を持ち、かつ、両面が凹面をなし、前記第４レンズが負の屈折力を持ち、かつ、両面が凹面から形成されている場合は、前記第５レンズが正の屈折力を持ち、かつ、両面が凸面をなすように形成された広角レンズ。
ただし、
ｆ2：第２レンズの焦点距離
ｆ ：レンズ全系の合成焦点距離
【請求項２】
第２レンズと第３レンズの間、または、第３レンズと第４レンズの間のいずれかに絞りが設けられた請求項１に記載の広角レンズ。
【請求項３】
第２レンズはガラス材料から形成された請求項１に記載の広角レンズ。
【請求項４】
第３レンズの物体側の面、または、第６レンズの物体側の面の少なくともいずれかの面に非球面が設けられた請求項１に記載の広角レンズ。
【請求項５】
以下の条件を満足する請求項１に記載の広角レンズ。
（１）０．７＜｜ｆ12｜／ｆ＜１．０
ｆ12：第１レンズと第２レンズの合成焦点距離
ｆ ：レンズ全系の合成焦点距離
【請求項６】
以下の条件を満足する請求項１に記載の広角レンズ。
（２）｜ｆ45｜／ｆ＞４．４
ただし、
ｆ45：第４レンズと第５レンズの合成焦点距離
ｆ ：レンズ全系の合成焦点距離
【請求項７】
以下の条件を満足する請求項１に記載の広角レンズ。
（３）ｄ1−｛ＳＡＧ1＋（ＥＴ1／２）｝＞０
ただし、
ｄ1    ：第１レンズの光軸方向の中心部の厚さ
ＳＡＧ1：第１レンズの物体側面における曲線の最大サグ量
ＥＴ1  ：第１レンズの光軸方向のエッジ部の厚さ
【請求項８】
以下の条件を満足する請求項１に記載の広角レンズ。
（４）１．６＜ｂf／ｆ＜２．１
ただし、
ｂf：バックフォーカス
ｆ ：レンズ全系の合成焦点距離
【請求項９】
以下の条件を満足する請求項２に記載の広角レンズ。
（５）ν2−ν3＞２９
（６）ν4−ν5＞１９
（７）ν6＞４１
ν2：第２レンズのアッベ数
ν3：第３レンズのアッベ数
ν4：第４レンズのアッベ数
ν5：第５レンズのアッベ数
ν6：第６レンズのアッベ数
【請求項１０】
以下の条件を満足する請求項１に記載の広角レンズ。
（８）８．０＜ＴＬ／ｆ＜９．０
（９）ＴＬ／２Ｈ＜３．２
ただし、
ＴＬ：レンズ全系の軸方向の長さ
ｆ  ：レンズ全系の合成焦点距離
２Ｈ：撮像素子の有効画面対角線長
【請求項１１】
以下の条件を満足する請求項５に記載の広角レンズ。
（１０）１．８＜ｆ3456／ｆ＜２．２
（１１）１．３＜ｆ3／ｆ＜１．７
（１２）１．７＜ｆ6／ｆ＜２．３
ただし、
ｆ ：レンズ全系の合成焦点距離
ｆ3456：第３レンズ、第４レンズ、第５レンズ、第６レンズの合成焦点距離
ｆ3   ：第３レンズの焦点距離
ｆ6   ：第６レンズの焦点距離
【発明の詳細な説明】
【技術分野】
【０００１】
本発明は、特に１７０度以上の画角を必要とする広角レンズに関するものである。
【背景技術】
【０００２】
広角レンズとしては、特許文献１に記載されたようなものが知られている。この特許文献１の広角レンズは、物体側から、順次、負の屈折力を有する第１レンズ群と、正の屈折力を有する第２レンズ群と、正の屈折力を有する第３レンズ群とを配置し、かつ、前記第１レンズ群は、物体側から、順次、像側に強い凹面を向けた負メニスカスレンズから第１レンズ、そして負レンズからなる第２レンズを配置して構成し、前記第２レンズ群は、物体側から、順次、正レンズからなる第３レンズ、そして、正レンズからなる第４レンズと負レンズからなる第５レンズとを密に貼り合わせてなる接合レンズを配置して構成し、そして、前記第３レンズ群は、少なくとも片方の面が非球面として構成された正レンズからなる第６レンズを有した構成である。
【特許文献１】特開２００４−１７７４３５号公報
【発明の開示】
【発明が解決しようとする課題】
【０００３】
しかし、近年の車載用カメラ、監視カメラ等の分野においては、レンズユニットの第１レンズへの入射光線の最大画角２θが１７０度以上のものが求められているが、上記従来例で説明したような特許文献１記載の構成の広角レンズでは、レンズ全系に対する第２レンズの焦点距離｜ｆ2｜／ｆが約２．３以上であるため、最大画角として約７０度程度のものしか実現できないという課題を有していた。
【０００４】
本発明は、上記問題点を解決するもので、レンズユニットの第１レンズへの入射光線の最大の画角２θが１７０度以上を確保できる広角レンズを提供することを目的とする。
【課題を解決するための手段】
【０００５】
この目的を達成するために、本発明の請求項１に記載の発明は、物体側から像側へ向かって順に、負の屈折力を持つ第１レンズと、負の屈折力を持ち、かつ、｜ｆ2｜／ｆがほぼ１．８以下を満足し、両面が凹面から形成された第２レンズと、正の屈折力を持ち、両面が凸面で形成された第３レンズと、互いに離間するか、または接合された第４、第５レンズと、正の屈折力を持ち、かつ、両面が凸面から形成された第６レンズとを備え、前記第４レンズが正の屈折力を持ち、かつ、両面が凸面から形成されている場合は、前記第５レンズが負の屈折力を持ち、かつ、両面が凹面をなし、前記第４レンズが負の屈折力を持ち、かつ、両面が凹面から形成されている場合は、前記第５レンズが正の屈折力を持ち、かつ、両面が凸面をなすように形成された広角レンズであり、レンズユニットの第１レンズへの入射光線の最大の画角２θが１７０度以上を確保できるという作用効果を奏する。
【０００６】
ただし、
ｆ2：第２レンズの焦点距離
ｆ ：レンズ全系の合成焦点距離
さらに、第４レンズの物体側の面と像側の面の両方の面を凸面とし、第５レンズの物体側の面と像側の面の両方を凹面にすることで、撮像素子への光線の入射角度をより小さくできるという作用効果も奏する。
【０００７】
請求項２に記載の発明は、請求項１に記載の発明において、第２レンズと第３レンズの間、または、第３レンズと第４レンズの間のいずれかに絞りが設けられたものであり、第１レンズを介してレンズユニットに迷光が進入するのを防止できるという作用効果を奏する。
【０００８】
請求項３に記載の発明は、請求項１に記載の発明において、第２レンズはガラス材料から形成されており、アッベ数が大きいことから、色収差を低減できるという作用効果を奏する。
【０００９】
請求項４に記載の発明は、請求項１に記載の発明において、第３レンズの物体側の面、または、第６レンズの物体側の面の少なくともいずれかの面に非球面が設けられており、広角を実現するために発生した収差を低減できるという作用効果を奏する。
【００１０】
請求項５に記載の発明は、請求項１に記載の発明において、以下の条件を満足するように構成された広角レンズであり、撮像素子の有効画面の中心部から周辺部に至るまで、高い周辺光量が得られるばかりか、レンズ全系の軸方向の長さを短くできるという作用効果を奏する。
（１）０．７＜｜ｆ12｜／ｆ＜１．０
ただし、
ｆ12：第１レンズと第２レンズの合成焦点距離
ｆ ：レンズ全系の合成焦点距離
上記構成における条件（１）の範囲に定めることにより、撮像素子の有効画面の中心部から周辺部にいたるまで、高い周辺光量および広画角を得ることが可能となる。条件（１）の上限を超えると、第１レンズ、第２レンズから構成されるレンズ群の屈折力が弱くなりすぎるため、十分な周辺光量と広画角を確保することが困難になる。条件（１）の下限を超えると、前記レンズ群の屈折力が強くなりすぎるため、撮像素子の有効画面の周辺部でタンジェンシャル像面が負側へ大きく湾曲し解像度の低下を招く。
【００１１】
請求項６に記載の発明は、請求項１に記載の発明において、以下の条件を満足するように構成された広角レンズであり、レンズユニットへの組み立て時に発生する偏芯、チルトによる性能変動を抑制することができるという作用効果を奏する。
（２）｜ｆ45｜／ｆ＞４．４
ただし、
ｆ45：第４レンズと第５レンズの合成焦点距離
ｆ ：レンズ全系の合成焦点距離
上記構成における条件（２）の範囲に定めることにより、レンズユニットへの組み立て時に発生する偏芯、チルトによる性能変動を抑制することが可能になる。条件（２）の下限を超えると屈折力が強くなりすぎてしまい、偏芯、チルトによる性能変動が大きくなる。
【００１２】
請求項７に記載の発明は、請求項１に記載の発明において、以下の条件を満足するように構成された広角レンズであり、ガラスレンズにおけるプレス成型、または研磨による成型がより容易になるという作用効果を奏する。
（３）ｄ1−｛ＳＡＧ1＋（ＥＴ1／２）｝＞０
ただし、
ｄ1    ：第１レンズの光軸方向の中心部の厚さ
ＳＡＧ1：第１レンズの物体側面における曲線の最大サグ量
ＥＴ1  ：第１レンズの光軸方向のエッジ部の厚さ
上記構成における条件（３）の範囲に定めることにより、ガラスレンズにおけるプレス成型、または研磨による成型がより容易になる。条件（３）が成立しない場合には、第１レンズの光軸方向のエッジ部の厚さに対する光軸方向の中心部の厚さの割合が低下してくるため、レンズ成型時に割れや欠けの現象が起きやすくなり、レンズ成型が困難になる。
【００１３】
請求項８に記載の発明は、請求項１に記載の発明において、以下の条件を満足するように構成された広角レンズであり、レンズ全系の軸方向の長さを短く保ちながらもバックフォーカスを長くできるという作用効果を奏する。
（４）１．６＜ｂf／ｆ＜２．１
ただし、
ｂf：バックフォーカス
ｆ ：レンズ全系の合成焦点距離
上記構成における条件（４）の範囲に定めることにより、レンズ全系の軸方向の長さを短く保ちながらもバックフォーカスを長くできるという作用効果をもたらす。条件（４）の上限を超えると、レンズ全系の軸方向の長さが長くなることから、レンズユニットの小型化が困難になり、その達成のためには第１レンズの屈折力を所定値以上に強くしなければならないので、収差補正が困難になってしまう。また、条件（４）の下限を超えると、バックフォーカスが短くなってしまうことから、ローパスフィルタなどのフィルタ類を入れるスペースを確保することが困難になる。
【００１４】
請求項９に記載の発明は、請求項２に記載の発明において、以下の条件を満足するように構成された広角レンズであり、色収差をより抑制できるという作用効果を奏する。
（５）ν2−ν3＞２９
（６）ν4−ν5＞１９
（７）ν6＞４１
ν2：第２レンズのアッベ数
ν3：第３レンズのアッベ数
ν4：第４レンズのアッベ数
ν5：第５レンズのアッベ数
ν6：第６レンズのアッベ数
上記構成における条件（５）、（６）、（７）の範囲に定めることにより、色収差をより抑制できる。条件（５）の下限を超えると、第２レンズと第３レンズでの色収差補正が不十分となり、撮像素子の有効画面内で色にじみが発生する。
【００１５】
また、条件（６）の下限を超えると第４レンズと第５レンズでの色収差補正が不十分となり、撮像素子の有効画面内で色にじみが発生する。
【００１６】
また、条件（７）の下限を超えると第６レンズでの色収差補正が不十分となり、撮像素子の有効画面内で色にじみが発生する。
【００１７】
請求項１０に記載の発明は、請求項１に記載の発明において、以下の条件を満足するように構成された広角レンズであり、レンズ全系の軸方向の長さを短く保つことができるという作用効果を奏する。
（８）８．０＜ＴＬ／ｆ＜９．０
（９）ＴＬ／２Ｈ＜３．２
ただし、
ＴＬ：レンズ全系の軸方向の長さ
ｆ  ：レンズ全系の合成焦点距離
２Ｈ：撮像素子の有効画面対角線長
上記構成における条件（８）、（９）の範囲に定めることにより、レンズ全系の軸方向の長さを短く保つことができる。条件（８）の上限を超えるとレンズ全系の軸方向の長さが長くなり、レンズユニットの小型化が困難になる。条件（８）の下限を超えると、レンズ全系の軸方向の長さは短くなるが、広画角を確保しようとすると、第１レンズの焦点距離を所定値に比べて極端に小さくしなければならない。その結果として、球面収差、コマ収差、像面湾曲及び非点収差が極端に大きくなってしまい、その収差補正が困難になる。
【００１８】
また、条件（９）の上限を超えると、小型の撮像素子を採用しながらも、レンズ全系の軸方向の長さが長くなってしまうので、レンズユニットの小型化が困難になる。
【００１９】
請求項１１に記載の発明は、請求項５に記載の発明において、以下の条件を満足するように構成された広角レンズであり、撮像素子の有効画面の中心部から周辺部に至るまで、高い周辺光量が確保できるばかりか、全収差を低減できるという作用効果を奏する。
（１０）１．８＜ｆ3456／ｆ＜２．２
（１１）１．３＜ｆ3／ｆ＜１．７
（１２）１．７＜ｆ6／ｆ＜２．３
ただし、
ｆ ：レンズ全系の合成焦点距離
ｆ3456：第３レンズ、第４レンズ、第５レンズ、第６レンズの合成焦点距離
ｆ3   ：第３レンズの焦点距離
ｆ6   ：第６レンズの焦点距離
上記構成における条件（１０）の範囲に定めることにより、撮像素子の有効画面の中心部から周辺部にいたるまで、球面収差、コマ収差、像面湾曲が抑制された像を得ることが可能となる。条件（１０）の上限を超えると、第３レンズ、第４レンズ、第５レンズ、第６レンズから構成されるレンズ群の屈折力が弱くなるため、レンズ全系の軸方向の長さが長くなってしまいレンズユニットの小型化に対して不利である。そればかりか、前記レンズ群の屈折力が弱くなるので、第１レンズ、第２レンズから構成されるレンズ群で大きく発生するタンジェンシャル像面が負側に大きく湾曲してしまう像面湾曲を補正できず、解像度の低下を招く。条件（１０）の下限を超えると、前記第３、第４、第５、第６レンズから構成されるレンズ群の屈折力が強くなるため、前記各収差が大きくなりすぎ、もはや補正では所定の性能を満足できなくなる。そればかりか、第３レンズから第６レンズのいずれかにおいて成型が困難になる小さな曲率半径が必要となってしまう。
【００２０】
また、条件（１１）の範囲に定めることにより、撮像素子の有効画面の中心部から周辺部にいたるまで、像面湾曲が抑制され、撮像素子の有効画面全体で一様な照度の像を得ることが可能となる。条件（１１）の上限を超えると、第３レンズの屈折力が弱くなりすぎるため、第１レンズ、第２レンズから構成されるレンズ群で大きく発生するタンジェンシャル像面が負側に大きく湾曲してしまう像面湾曲を補正できず、解像度の低下を招くため、好ましくない。条件（１１）の下限を超えると、第３レンズの屈折力が強くなりすぎるため、撮像素子の有効画面の周辺部では、タンジェンシャル像面が正側へ大きく湾曲し、解像度の低下を招く。
【００２１】
また、条件（１２）の範囲に定めることにより、撮像素子の有効画面の中心部から周辺部にいたるまで、像面湾曲、撮像素子への入射角度が抑制され、撮像素子の有効画面全体で一様な照度の像を得ることが可能となる。条件（１２）の上限を超えると、第６レンズの屈折力が弱くなりすぎるため、第１レンズと第２レンズから構成されるレンズ群で大きく発生するタンジェンシャル像面が負側に大きく湾曲してしまう像面湾曲を補正できず、解像度の低下を招く。そればかりか、撮像素子の有効画面の周辺部に入射する光線の入射角度が大きくなりすぎるため、撮像素子への絶対光量が不足してしまう。また、撮像素子の有効画面の周辺部での照度と中心部での照度とを比較すると撮像素子の有効画面の周辺部は相対的に大きく低下してしまうため、好ましくない。条件（１２）の下限を超えると、第６レンズの屈折力が強くなりすぎるため、撮像素子の有効画面の周辺部では、タンジェンシャル像面が正側へ大きく湾曲し、解像度の低下を招く。
【発明の効果】
【００２２】
本発明の広角レンズは、物体側から像側へ向かって順に、負の屈折力を持つ第１レンズと、負の屈折力を持ち、かつ、｜ｆ2｜／ｆがほぼ１．８以下を満足し、両面が凹面から形成された第２レンズと、正の屈折力を持ち、両面が凸面で形成された第３レンズと、互いに離間するか、または接合された第４、第５レンズと、正の屈折力を持ち、かつ、両面が凸面から形成された第６レンズとを備え、前記第４レンズが正の屈折力を持ち、かつ、両面が凸面から形成されている場合は、前記第５レンズが負の屈折力を持ち、かつ、両面が凹面をなし、前記第４レンズが負の屈折力を持ち、かつ、両面が凹面から形成されている場合は、前記第５レンズが正の屈折力を持ち、かつ、両面が凸面をなすように形成された広角レンズであり、レンズユニットの第１レンズへの入射光線の最大の画角２θが１７０度以上を確保できる。
【発明を実施するための最良の形態】
【００２３】
図１は、本発明の実施の形態における広角レンズの概略配置を示す説明図である。図１において、１、２、３はそれぞれガラス材料からなる第１、第２、第３レンズ、４は絞り、５、６、７はそれぞれガラス材料からなる第４、第５、第６レンズ、８は赤外光カットフィルタ（以下、ＩＲカットフィルタという）、９は撮像素子である。
【００２４】
また、図１において、物体側から像側へ向かって順に、負の屈折力を持つ第１レンズ１と、負の屈折力を持ち、かつ、｜ｆ2｜／ｆがほぼ１．８以下を満足し、両面が凹面から形成された第２レンズ２と、正の屈折力を持ち、両面が凸面で形成された第３レンズ３と、接合された第４、第５レンズ５、６と、正の屈折力を持ち、かつ、両面が凸面から形成された第６レンズ７とを備え、前記第４レンズ５が正の屈折力を持ち、かつ、両面が凸面から形成され、前記第５レンズ６が負の屈折力を持ち、かつ、両面が凹面で形成されている。また、第６レンズ７の物体側の面は非球面である。
【００２５】
ただし、
ｆ2：第２レンズ２の焦点距離
ｆ ：レンズ全系の合成焦点距離
この構成により、レンズユニット（図示せず）の第１レンズ１への入射光線の最大画角２θが１７０度以上を確保できる。さらに、第４レンズ５に正の屈折力を持つ両凸レンズ、第５レンズ６に負の屈折力を持ち、両面が凹面で形成されたレンズを配置することで、撮像素子９への光線の入射角度をより小さくできる。
【００２６】
また、本実施の形態において、第４レンズ５と第５レンズ６が接合されている例について説明したが、互いに離間した場合の構成でも十分な効果が得られる。
【００２７】
また、本実施の形態において、第４レンズ５が正の屈折力を持つ両凸レンズで、第５レンズ６が負の屈折力を持ち、両面が凹面で形成された例について説明したが、第４レンズ５が負の屈折力を持ち、かつ、両面が凹面で形成され、第５レンズ６に正の屈折力を持つ両凸レンズを配置するレンズ構成の場合でも同様な効果が得られる。
【００２８】
また、本実施の形態においては、第３レンズ３と第４レンズ５の間に絞り４を設けることにより、迷光を遮断する効果も得られる。
【００２９】
また、本実施の形態において、第３レンズ３と第４レンズ５の間に絞り４を設けた場合の例を説明したが、第２レンズ２と第３レンズ３の間に絞りを設けた場合でも同様な効果が得られる。
【００３０】
また、本実施の形態においては、第１レンズ１から第６レンズ７まですべてガラス材料から形成されている例について説明したが、少なくとも第２レンズ２をガラス材料にすることで、少なからず色収差の低減を図る効果がある。
【００３１】
また、本実施の形態においては、広角を実現するために発生した収差を低減するために、第６レンズ７の物体側の面に非球面が設けられた例について説明したが、第３レンズ３の物体側の面、第６レンズ７の物体側の面の少なくともいずれかの面に非球面が設けられることで、少なからず収差の低減を図る効果がある。
【００３２】
また、本実施の形態においては、｜ｆ12｜／ｆ＝０．８８であるため、撮像素子９の有効画面の中心部から周辺部にいたるまで、高い周辺光量が得られるばかりか、レンズ全系の軸方向の長さを短くできる。ただし、この例に限定されるものではなく、以下の条件（１）を満足しさえすればよい。
（１）０．７＜｜ｆ12｜／ｆ＜１．０
ただし、
ｆ12：第１レンズ１と第２レンズ２の合成焦点距離
ｆ ：レンズ全系の合成焦点距離
条件（１）の範囲に定めることにより、撮像素子９の有効画面の中心部から周辺部にいたるまで、高い周辺光量および広画角を得ることが可能となる。条件（１）の上限を超えると、第１レンズ１、第２レンズ２から構成されるレンズ群の屈折力が弱くなりすぎるため、十分な周辺光量と広画角を確保することが困難になる。条件（１）の下限を超えると、前記レンズ群の屈折力が強くなりすぎるため、撮像素子９の有効画面の周辺部でタンジェンシャル像面が負側へ大きく湾曲し解像度の低下を招く。
【００３３】
本実施の形態において、｜ｆ45｜／ｆ＝４．４５であるため、レンズユニットへの組み立て時に発生する偏芯、チルトによる性能変動を抑制することが可能になる。
【００３４】
ただし、この例に限定されるものではなく、以下の条件（２）を満足しさえすればよい。
（２）｜ｆ45｜／ｆ＞４．４
ただし、
ｆ45：第４レンズ５と第５レンズ６の合成焦点距離
ｆ ：レンズ全系の合成焦点距離
条件（２）の範囲に定めることにより、レンズユニットへの組み立て時に発生する偏芯、チルトによる性能変動を抑制することが可能になる。条件（２）の下限を超えると屈折力が強くなりすぎてしまい、偏芯、チルトによる性能変動が大きくなる。
【００３５】
本実施の形態において、ｄ1−｛ＳＡＧ1＋（ＥＴ1／２）｝＝６．８４×１０-9であるため、ガラスレンズにおけるプレス成型、または研磨による成型がより容易になる。ただし、この例に限定されるものではなく、以下の条件（３）を満足しさえすればよい。
（３）ｄ1−｛ＳＡＧ1＋（ＥＴ1／２）｝＞０
ただし、
ｄ1    ：第１レンズ１の光軸方向の中心部の厚さ
ＳＡＧ1：第１レンズ１の物体側面における曲線の最大サグ量
ＥＴ1  ：第１レンズ１の光軸方向のエッジ部の厚さ
条件（３）の範囲に定めることにより、ガラスレンズにおけるプレス成型、または研磨による成型がより容易になる。条件（３）が成立しない場合には、第１レンズ１の光軸方向のエッジ部の厚さに対する光軸方向の中心部の厚さの割合が低下してくるため、レンズ成型時に割れや欠けの現象が起きやすくなり、レンズ成型が困難になる。
【００３６】
本実施の形態において、ｂf／ｆ＝１．７２であるため、レンズ全系の軸方向の長さを短く保ちながらもバックフォーカスを長くできる。ただし、この例に限定されるものではなく、以下の条件（４）を満足しさえすればよい。
（４）１．６＜ｂf／ｆ＜２．１
ただし、
ｂf：バックフォーカス
ｆ ：レンズ全系の合成焦点距離
条件（４）の範囲に定めることにより、レンズ全系の軸方向の長さを短く保ちながらもバックフォーカスを長くできるという作用効果をもたらす。条件（４）の上限を超えると、レンズ全系の軸方向の長さが長くなることから、レンズユニットの小型化が困難になり、その達成のためには第１レンズ１の屈折力を所定値以上に強くしなければならないので、収差補正が困難になってしまう。また、条件（４）の下限を超えると、バックフォーカスが短くなってしまうことから、ローパスフィルタなどのフィルタ類を入れるスペースを確保することが困難になる。
【００３７】
本実施の形態において、ν2−ν3＝５２．３、ν4−ν5＝２９．２、ν6＝４５．６であるため、色収差をより抑制できる。ただし、この例に限定されるものではなく、以下の条件（５）、（６）、（７）を満足しさえすればよい。
（５）ν2−ν3＞２９
（６）ν4−ν5＞１９
（７）ν6＞４１
ν2：第２レンズ２のアッベ数
ν3：第３レンズ３のアッベ数
ν4：第４レンズ５のアッベ数
ν5：第５レンズ６のアッベ数
ν6：第６レンズ７のアッベ数
本実施の形態において、ＴＬ／ｆ＝８．３６、ＴＬ／２Ｈ＝３．０４であるため、レンズ全系の軸方向の長さを短く保つことができる。ただし、この例に限定されるものではなく、以下の条件（８）、（９）を満足しさえすればよい。
（８）８．０＜ＴＬ／ｆ＜９．０
（９）ＴＬ／２Ｈ＜３．２
ただし、
ＴＬ：レンズ全系の軸方向の長さ
２Ｈ：撮像素子の有効画面対角線長
ｆ  ：レンズ全系の合成焦点距離
条件（８）、（９）の範囲に定めることにより、レンズ全系の軸方向の長さを短く保つことができる。条件（８）の上限を超えるとレンズ全系の軸方向の長さが長くなり、レンズユニットの小型化が困難になる。条件（８）の下限を超えると、レンズ全系の軸方向の長さは短くなるが、広画角を確保しようとすると、第１レンズ１の焦点距離を所定値に比べて極端に小さくしなければならない。その結果として、球面収差、コマ収差、像面湾曲及び非点収差が極端に大きくなってしまい、その収差補正が困難になる。
【００３８】
また、条件（９）の上限を超えると、小型の撮像素子９を採用しながらも、レンズ全系の軸方向の長さが長くなってしまうので、レンズユニットの小型化が困難になる。
【００３９】
また、本実施の形態においては、ｆ3456／ｆ＝２．０５、ｆ3／ｆ＝１．５４、ｆ6／ｆ＝１．８１であるため、撮像素子９の有効画面の中心部から周辺部にいたるまで、高い周辺光量が確保できるばかりか、全収差を低減できる。ただし、この例に限定されるものではなく、以下の条件（１０）〜（１２）を満足しさえすればよい。
（１０）１．８＜ｆ3456／ｆ＜２．２
（１１）１．３＜ｆ3／ｆ＜１．７
（１２）１．７＜ｆ6／ｆ＜２．３
ただし、
ｆ3456：第３レンズ３、第４レンズ５、第５レンズ６、第６レンズ７の合成焦点距離
ｆ ：レンズ全系の合成焦点距離
ｆ3   ：第３レンズ３の焦点距離
ｆ6   ：第６レンズ７の焦点距離
条件（１０）の範囲に定めることにより、撮像素子の有効画面の中心部から周辺部にいたるまで、球面収差、コマ収差、像面湾曲が抑制された像を得ることが可能となる。条件（１０）の上限を超えると、第３レンズ３、第４レンズ５、第５レンズ６、第６レンズ７から構成されるレンズ群の屈折力が弱くなるため、レンズ全系の軸方向の長さが長くなってしまいレンズユニットの小型化に対して不利である。そればかりか、前記レンズ群の屈折力が弱くなるので、第１レンズ１、第２レンズ２から構成されるレンズ群で大きく発生するタンジェンシャル像面が負側に大きく湾曲してしまう像面湾曲を補正できず、解像度の低下を招く。条件（１０）の下限を超えると、前記第３、第４、第５、第６レンズから構成されるレンズ群の屈折力が強くなるため、前記各収差が大きくなりすぎ、もはや補正では所定の性能を満足できなくなる。そればかりか、第３レンズ３から第６レンズ７のいずれかにおいて成型が困難になる小さな曲率半径が必要となってしまう。
【００４０】
また、条件（１１）の範囲に定めることにより、撮像素子９の有効画面の中心部から周辺部にいたるまで、像面湾曲が抑制され、撮像素子９の有効画面全体で一様な照度の像を得ることが可能となる。条件（１１）の上限を超えると、第３レンズ３の屈折力が弱くなりすぎるため、第１レンズ１、第２レンズ２から構成されるレンズ群で大きく発生するタンジェンシャル像面が負側に大きく湾曲してしまう像面湾曲を補正できず、解像度の低下を招くため、好ましくない。条件（１１）の下限を超えると、第３レンズ３の屈折力が強くなりすぎるため、撮像素子９の有効画面の周辺部では、タンジェンシャル像面が正側へ大きく湾曲し、解像度の低下を招く。
【００４１】
また、条件（１２）の範囲に定めることにより、撮像素子９の有効画面の中心部から周辺部にいたるまで、像面湾曲、撮像素子への入射角度が抑制され、撮像素子９の有効画面全体で一様な照度の像を得ることが可能となる。条件（１２）の上限を超えると、第６レンズ７の屈折力が弱くなりすぎるため、第１レンズ１と第２レンズ２から構成されるレンズ群で大きく発生するタンジェンシャル像面が負側に大きく湾曲してしまう像面湾曲を補正できず、解像度の低下を招く。そればかりか、撮像素子９の有効画面の周辺部に入射する光線の入射角度が大きくなりすぎるため、撮像素子９への絶対光量が不足してしまう。また、撮像素子９の有効画面の周辺部での照度と中心部での照度とを比較すると撮像素子９の有効画面の周辺部は相対的に大きく低下してしまうため、好ましくない。条件（１２）の下限を超えると、第６レンズ７の屈折力が強くなりすぎるため、撮像素子９の有効画面の周辺部では、タンジェンシャル像面が正側へ大きく湾曲し、解像度の低下を招く。
【実施例】
【００４２】
次に、広角レンズの仕様について、実施例１〜実施例７に基づいて説明するが、各仕様はこれに限定されるものではない。ここで、各実施例に使用する記号は下記の通りである。
【００４３】
ｒ：近軸曲率半径
ｄ：光軸におけるレンズ厚またはレンズ間隔
ｎd：ｄ線の屈折率
νd：ｄ線のアッベ数
また、各実施例において、レンズの非球面の形状は、光軸方向にｚ軸、光軸と直交する方向にｘ軸、ｙ軸をそれぞれとる直交座標系を用いると、以下の式で表される。
【００４４】
ｚ＝（ｈ2／ｒ）／［１＋√｛１−（１＋Ｋ）（ｈ／ｒ）2｝］＋Ａ4・ｈ4＋Ａ6・ｈ6＋Ａ8・ｈ8＋Ａ10・ｈ10
ただし、ｈ＝√（ｘ2＋ｙ2）
ｒ：近軸曲率半径、Ｋ：コニカル定数、
Ａp（ｐ＝４、６、８、１０）：高次の非球面係数
なお、表中のＫおよびＡpの表記は、以下のように定義する。
【００４５】
例えば、「６．０２３４５６Ｅ−４」は、６．０２３４５６×１０-4を表す。
【００４６】
また、各実施例においては、撮像素子９の像面の前にＩＲカットフィルタ８が設置されているが、レンズ全系の光学全長ＴＬおよびバックフォーカスｂfはＩＲカットフィルタ８の厚さを空気換算することによって計算している。
【００４７】
（実施例１）
広角レンズのデータを表１、表２に示す。
【００４８】
【表１】
2006171597.tif 000003
【００４９】
【表２】
2006171597.tif 000004
【００５０】
実施例１の広角レンズの概略配置を示す説明図は、前述の図１に示したものと同一であるため詳細な説明は省略する。図２は、図１の広角レンズの球面収差、非点収差、歪曲収差を示す説明図である。
【００５１】
（実施例２）
広角レンズのデータを表３、表４に示す。
【００５２】
【表３】
2006171597.tif 000005
【００５３】
【表４】
2006171597.tif 000006
【００５４】
図３は実施例２の広角レンズの概略配置を示す説明図である。図３において、図１と同一の構成部分には同一番号を付して詳細な説明は省略する。図４は、図３の広角レンズの球面収差、非点収差、歪曲収差を示す説明図である。
【００５５】
（実施例３）
広角レンズのデータを表５、表６に示す。
【００５６】
【表５】
2006171597.tif 000007
【００５７】
【表６】
2006171597.tif 000008
【００５８】
図５は実施例３の広角レンズの概略配置を示す説明図である。図５において、図１と同一の構成部分には同一番号を付して詳細な説明は省略する。図６は、図５の広角レンズの球面収差、非点収差、歪曲収差を示す説明図である。
【００５９】
（実施例４）
広角レンズのデータを表７、表８に示す。
【００６０】
【表７】
2006171597.tif 000009
【００６１】
【表８】
2006171597.tif 000010
【００６２】
図７は実施例４の広角レンズの概略配置を示す説明図である。図７において、図１と同一の構成部分には同一番号を付して詳細な説明は省略する。図８は、図７の広角レンズの球面収差、非点収差、歪曲収差を示す説明図である。
【００６３】
（実施例５）
広角レンズのデータを表９、表１０に示す。
【００６４】
【表９】
2006171597.tif 000011
【００６５】
【表１０】
2006171597.tif 000012
【００６６】
図９は実施例５の広角レンズの概略配置を示す説明図である。図９において、図１と同一の構成部分には同一番号を付して詳細な説明は省略する。図１０は、図９の広角レンズの球面収差、非点収差、歪曲収差を示す説明図である。
【００６７】
（実施例６）
広角レンズのデータを表１１、表１２に示す。
【００６８】
【表１１】
2006171597.tif 000013
【００６９】
【表１２】
2006171597.tif 000014
【００７０】
図１１は実施例６の広角レンズの概略配置を示す説明図である。図１１において、図１と同一の構成部分には同一番号を付して詳細な説明は省略する。図１２は、図１１の広角レンズの球面収差、非点収差、歪曲収差を示す説明図である。
【００７１】
（実施例７）
広角レンズのデータを表１３、表１４に示す。
【００７２】
【表１３】
2006171597.tif 000015
【００７３】
【表１４】
2006171597.tif 000016
【００７４】
図１３は実施例７の広角レンズの概略配置を示す説明図である。図１３において、図１と同一の構成部分には同一番号を付して詳細な説明は省略する。図１４は、図１３の広角レンズの球面収差、非点収差、歪曲収差を示す説明図である。
【産業上の利用可能性】
【００７５】
本発明は、レンズユニットの第１レンズへの入射光線の最大の画角２θが１７０度以上を確保できる広角レンズとして有用である。
【図面の簡単な説明】
【００７６】
【図１】本発明の実施例１の広角レンズの概略配置を示す説明図
【図２】図１の広角レンズの球面収差、非点収差、歪曲収差を示す説明図
【図３】実施例２の広角レンズの概略配置を示す説明図
【図４】図３の広角レンズの球面収差、非点収差、歪曲収差を示す説明図
【図５】実施例３の広角レンズの概略配置を示す説明図
【図６】図５の広角レンズの球面収差、非点収差、歪曲収差を示す説明図
【図７】実施例４の広角レンズの概略配置を示す説明図
【図８】図７の広角レンズの球面収差、非点収差、歪曲収差を示す説明図
【図９】実施例５の広角レンズの概略配置を示す説明図
【図１０】図９の広角レンズの球面収差、非点収差、歪曲収差を示す説明図
【図１１】実施例６の広角レンズの概略配置を示す説明図
【図１２】図１１の広角レンズの球面収差、非点収差、歪曲収差を示す説明図
【図１３】実施例７の広角レンズの概略配置を示す説明図
【図１４】図１３の広角レンズの球面収差、非点収差、歪曲収差を示す説明図
【符号の説明】
【００７７】
１  第１レンズ
２  第２レンズ
３  第３レンズ
４  絞り
５  第４レンズ
６  第５レンズ
７  第６レンズ
８  ＩＲカットフィルタ
９  撮像素子
【図１】
2006171597.tif 000017
【図２】
2006171597.tif 000018
【図３】
2006171597.tif 000019
【図４】
2006171597.tif 000020
【図５】
2006171597.tif 000021
【図６】
2006171597.tif 000022
【図７】
2006171597.tif 000023
【図８】
2006171597.tif 000024
【図９】
2006171597.tif 000025
【図１０】
2006171597.tif 000026
【図１１】
2006171597.tif 000027
【図１２】
2006171597.tif 000028
【図１３】
2006171597.tif 000029
【図１４】
2006171597.tif 000030